(57)【要約】【課題】トランク扉の据付け、上下方向および左右方向の据付位置調整を容易に行うことのできるエレベーターのトランク扉構造の提供。【解決手段】トランク扉８ａに取付けられるＬ字状の第１のブラケット１０ａ、第１のブラケット１０ａと対となりトランク側板６の縁に取付けられるＬ字状の第２のブラケット１０ｂ、第１のブラケット１０ａに形成され短手方向に第１の径を有する長穴、すなわち第１の穴１０ｃ、第２のブラケット１０ｂに形成され第１の径より小さな第２の径を有する第２の穴１０ｄ、第２の径より大きくかつ第１の径より小さな径を有するねじ部１０ｅ１および先端に第２の径より小さな径を有するピン部１０ｅ２を備えたボルト１０ｅ、ボルト１０ｅに螺合され第１のブラケット１０ａを締結するナット１０ｆ、第１のブラケット１０ａより上方にてボルト１０ｅに螺合される高さ調節用ナット１０ｇを備えたものである。【選択図】図１
2008133127.tif 000002
【特許請求の範囲】
【請求項１】
乗かごの出入口と対向する後方側板にかご外に突出するトランクと、このトランクの開口部にトランク扉とを備えたエレベーターのトランク扉構造において、
前記トランク扉に取付けられるＬ字状の第１のブラケットと、この第１のブラケットと対となり、前記トランク開口部の縁に取付けられるＬ字状の第２のブラケットと、前記第１のブラケットの反取付片に形成され、第１の径を有する第１の穴と、前記第２のブラケットの反取付片に形成され、前記第１の径より小さな第２の径を有する第２の穴と、前記第２の径より大きく、かつ前記第１の径より小さな径を有するねじ部、およびその先端に前記第２の径より小さな径を有するピン部を備えたボルトと、前記第１の穴に挿通されたボルトに螺合され前記第１のブラケットを締結するナットとを備え、かつ、これらの組となる第１のブラケット、第２のブラケット、ボルトおよびナットを前記トランク扉の上下方向に沿って複数設置したことを特徴とするエレベーターのトランク扉構造。
【請求項２】
前記第１のブラケットより上方にて前記ボルトに螺合される高さ調節用ナットを備え、前記ナットおよび前記調節ナットで前記第１のブラケットを挟み込んで締結することにより前記トランク扉の上下方向の据付位置調整を可能としたことを特徴とする請求項１記載のエレベーターのトランク扉構造。
【請求項３】
前記第１のブラケットに形成される第１の穴を長穴とし、前記トランク扉の左右方向の据付位置調整を可能としたことを特徴とする請求項１記載のエレベーターのトランク扉構造。
【発明の詳細な説明】
【技術分野】
【０００１】
本発明は、乗かごの後方側板にトランクを備えたエレベーターのトランク扉構造に関する。
【背景技術】
【０００２】
乗かごの出入口と対向する後方側板に備えられたトランクには、その開口部を覆うトランク扉が設けられており、従来、このトランク扉は、トランク扉の上部および下部に取付けられる扉軸と、トランクの箱体の上部および下部に設けられる扉軸受けとにより開閉が可能なように構成されている。また、トランク床下部に取付けられたジャッキボルトによりトランク扉の上下方向の据付位置調整を行うとともに、上部に取付けられたブラケットのボルトを緩め、ボルト穴として形成される長穴の範囲でブラケットをずらすことによりトランク扉の左右方向の据付位置調整を可能としたものが提案されている（例えば、特許文献１参照）。
【特許文献１】特公昭５９−１７７１７号公報（１頁右段１３行〜２頁右段８行、第４図）
【発明の開示】
【発明が解決しようとする課題】
【０００３】
しかしながら、前述したトランク扉構造では、乗かご内からトランク扉の据付けおよび据付位置調整を行うことができなかった。すなわち、作業者はトランク扉の上下方向の据付位置調整を行うため、一旦ピット側からトランクの箱体およびトランク扉を仮据付した後、乗かご内に戻り、トランク扉の据付状態を確認し、トランク扉の上下左右および左右方向の補正寸法を把握する。次いで、再度ピットに戻り、前述の補正寸法に基づきトランク扉の上下方向および左右方向の据付位置調整を行う。これら一連の作業は、ピットと乗かご内を往復する必要があるため据付時間の長期化を招くとともに、熟練技術が必要となる。
【０００４】
本発明は、前述した従来技術における実状からなされたもので、その目的は、トランク扉の据付け、上下方向および左右方向の据付位置調整を容易に行うことのできるエレベーターのトランク扉構造を提供することにある。
【課題を解決するための手段】
【０００５】
前記目的を達成するために、本発明の請求項１に係る発明は、乗かごの出入口と対向する後方側板にかご外に突出するトランクと、このトランクの開口部にトランク扉とを備えたエレベーターのトランク扉構造において、前記トランク扉に取付けられるＬ字状の第１のブラケットと、この第１のブラケットと対となり、前記トランク開口部の縁に取付けられるＬ字状の第２のブラケットと、前記第１のブラケットの反取付片に形成され、第１の径を有する第１の穴と、前記第２のブラケットの反取付片に形成され、前記第１の径より小さな第２の径を有する第２の穴と、前記第２の径より大きく、かつ前記第１の径より小さな径を有するねじ部、およびその先端に前記第２の径より小さな径を有するピン部を備えたボルトと、前記第１の穴に挿通されたボルトに螺合され前記第１のブラケットを締結するナットとを備え、かつ、これらの組となる第１のブラケット、第２のブラケット、ボルトおよびナットを前記トランク扉の上下方向に沿って複数設置したことを特徴している。
【０００６】
このように構成した本発明の請求項１に係る発明は、トランク扉に取付けられた第１のブラケットに形成される第１の穴にボルトを挿通し、このボルトに下方からナットを螺合することによりボルト頭部とナットによって第１のブラケットを挟み込んで締結する。この状態でトランク扉を持ち上げて移動し、ボルト先端のピン部をトランク開口部の縁に取付けられた第２のブラケットに形成される第２の穴に上方から挿入する。このとき第２の穴の縁部が第２の径より大きな幅寸法を有するねじ部の端部に当接することによりトランク扉は所定の高さ位置にて保持される。そして、ボルト先端のピン部が軸となってトランク扉の開扉および閉扉が行われる。これによって、乗かご内からトランク扉の据付けを行うことができる。
【０００７】
また、本発明の請求項２に係る発明は、前記第１のブラケットより上方にて前記ボルトに螺合される高さ調節用ナットを備え、前記ナットおよび前記調節ナットで前記第１のブラケットを挟み込んで締結することにより前記トランク扉の上下方向の据付位置調整を可能としたことを特徴としている。
【０００８】
このように構成した本発明の請求項２に係る発明は、高さ調節用ナットをボルトに所定寸法螺進させ、この状態でボルトをトランク扉に取付けられた第１のブラケットに形成される第１の穴に挿通し、このボルトに下方からナットを螺合することにより高さ調節用ナットとナットによって第１のブラケットを挟み込んで締結する。次いで、前述と同様に第１のブラケットと第２のブラケットとを係合してトランク扉の開扉および閉扉を可能とする。そして、必要に応じて高さ調節用ナットおよびナットを螺進或いは螺退させることにより第１のブラケットの締結位置を変位させ、トランク扉の上下方向の据付位置調整を行う。これによって、乗かご内からトランク扉の上下方向の据付位置調整を行うことができる。
【０００９】
さらに、本発明の請求項３に係る発明は、前記第１のブラケットに形成される第１の穴を長穴とし、前記トランク扉の左右方向の据付位置調整を可能としたことを特徴としている。
【００１０】
このように構成した本発明の請求項３に係る発明は、ボルトが挿通される第１のブラケットの第１の穴を長穴としたことから、この長穴の範囲でボルトおよびナットによる第１のブラケットの締結位置を変位させることにより、トランク扉の左右方向の据付位置調整を行う。これによって、乗かご内からトランク扉の左右方向の据付位置調整を行うことができる。
【発明の効果】
【００１１】
本発明によれば、トランク扉の据付け、上下方向および左右方向の据付位置調整を全て乗かご内から行なうことができ、労力の低減および作業時間の短縮を図ることができる。また、トランク扉の据付位置調整が簡易なものであることから、経験が少ない作業者であっても容易かつ確実にトランク扉の据付け作業を行うことができる。
【発明を実施するための最良の形態】
【００１２】
以下、本発明に係るエレベーターのトランク扉構造の実施の形態を図に基づいて説明する。
【００１３】
図１は本発明に係るエレベーターのトランク扉構造の一実施形態を示す要部斜視図、図２はトランク付きエレベーターの概略構造図、図３はトランクの詳細を示す斜視図である。
【００１４】
トランク付きエレベーターは図２に示すように、乗かご１の出入口２と対向する後方側板にかご外に突出するトランク３が設けられている。このトランク３は図３に示すように、乗かご１の床面４と同一面となるように設けられるトランク床５と、トランク床５の縁部に立設されるトランク側板６と、トランク側板６の上端に連設されるトランク天井７と、トランク床５、トランク側板６およびトランク天井７の縁部により四方が囲われて形成される開口部に取付けられる一対のトランク扉８ａ、８ｂとを備えている。
【００１５】
次に、本実施形態のトランク扉構造を一方のトランク扉８ａを例として図１に基づき説明する。
【００１６】
本実施形態のトランク扉構造は図１に示すように、トランク扉８ａの上部に取付けられるＬ字状の第１のブラケット１０ａと、この第１のブラケット１０ａと対となり、トランク側板６上部の縁に取付けられるＬ字状の第２のブラケット１０ｂと、第１のブラケット１０ａの反取付片１０ａ１に形成され、第１の径を有する第１の穴１０ｃと、第２のブラケット１０ｂの反取付片１０ｂ１に形成され、第１の径より小さな第２の径を有する第２の穴１０ｄと、第２の径より大きく、かつ第１の径より小さな径を有するねじ部１０ｅ１、およびその先端に第２の径より小さな径を有するピン部１０ｅ２を備えたボルト１０ｅと、第１の穴１０ｃに挿通されたボルト１０ｅに螺合され第１のブラケット１０ａを締結するナット１０ｆと、第１のブラケット１０ａより上方にてボルト１０ｅに螺合される高さ調節用ナット１０ｇとを備えている。
【００１７】
また、第１のブラケット１０ａに形成される前述の第１の穴１０ｃは、その短手方向が第１の径に設定されるとともに、長手方向に第１の径より大きな所定幅寸法を有する長穴となっている。さらに、第１のブラケット１０ａ、第２のブラケット１０ｂ、ボルト１０ｅ、ナット１０ｆおよび高さ調節用ナット１０ｇと同一の組み合わせがトランク扉８ａの下方にも備えられている。すなわち、トランク扉８ａの下部に取付けられる第１のブラケット１１ａ、トランク側板６下部の縁に取付けられる第２のブラケット１１ｂ、第１のブラケット１１ａおよび第２のブラケット１１ｂを係合するボルト１１ｅ、このボルト１１ｅに螺合されるナット１１ｆおよび高さ調節用ナット１１ｇが設けられている。１２は扉８ａが回転した時に第２のブラケット１０ｂと扉８ａが干渉しないように設けられた切欠き部で、上下２箇所に設けられている。
【００１８】
本実施形態にあって作業者はトランク３を取付ける場合、まず、トランク床５、トランク側板６およびトランク天井７を組み立て、乗かご１の出入口２と対向する後方側板に据付ける。この後、作業者は乗かご１内からトランク扉８ａの据付けを行う。すなわち、高さ調節用ナット１０ｇをボルト１０ｅに所定寸法螺進させ、この状態でボルト１０ｅをトランク扉８ａに取付けられた第１のブラケット１０ａに形成される第１の穴１０ｃに挿通し、このボルト１０ｅに下方からナット１０ｆを螺合することにより高さ調節用ナット１０ｇとナット１０ｆによって第１のブラケット１０ａを挟み込んで締結する。なお、同様の手順でトランク扉８ａ下方に第１のブラケット１１ａ、ボルト１１ｅ、ナット１１ｆおよび高さ調節用ナット１１ｇを取付ける。次いで、トランク扉８ａを持ち上げて移動し、ボルト１０ｅ先端のピン部１０ｅ２をトランク側板６上部の縁に取付けられた第２のブラケット１０ｂに形成される第２の穴１０ｄに上方から挿入する。このとき第２の穴１０ｄの縁部が前述の第２の径より大きな幅寸法を有するねじ部１０ｅ１の端部に当接することによりトランク扉８ａは所定の高さ位置にて保持される。なお、トランク扉８ａ下方にあっても同様に、ボルト先端１１ｅのピン部１１ｅ２を第２のブラケット１１ｂに形成される第２の穴１１ｄに上方から挿入し、第１のブラケット１１ａと第２のブラケット１１ｂの係合が行われる。
【００１９】
次いで、作業者はトランク扉８ａの据付状態を確認し、必要に応じてトランク扉８ａの上下方向および左右方向の据付位置調整を行う。即ち、トランク扉８ａの上下方向の据付位置調整が必要な場合、作業者は高さ調節用ナット１０ｇおよびナット１０ｆを螺進或いは螺退させることにより第１のブラケット１０ａのボルト１０ｅに対する締結位置を鉛直方向にあって変位させて据付位置調整を行う。このとき、高さ調節用ナット１１ｇおよびナット１１ｆを用いて第１のブラケット１１ａおよびボルト１１ｅに関しても同様の調整が行われる。また、トランク扉８ａの左右方向の据付位置調整が必要な場合、作業者は一旦ナット１０ｆを緩め、第１の穴１０ｃの長手方向の範囲でボルト１０ｅおよびナット１０ｆによる第１のブラケット１０ａの締結位置を左右方向に適宜変位させることにより据付位置調整を行う。このとき、ナット１１ｆおよび第１の穴１１ｃを用いて第１のブラケット１１ａおよびボルト１１ｅに関しても同様の調整が行われる。このようにして調整が終了すると、トランク扉８ａはボルト１０ｅ、１１ｅ先端のピン部１０ｅ２、１１ｅ２が軸となって円滑な開扉および閉扉が可能となる。なお、ここではトランク扉８ａを例として説明したが、他方のトランク扉８ｂについても同様の構造となっている。
【００２０】
本実施形態によれば、トランク扉８ａ、８ｂの据付け、上下方向および左右方向の据付位置調整を全て乗かご１内から行なうことができ、労力の低減および作業時間の短縮を図ることができる。また、トランク扉８ａ、８ｂの据付位置調整が簡易なものであることから、経験が少ない作業者であっても容易かつ確実にトランク扉の据付け作業を行うことができる。
【図面の簡単な説明】
【００２１】
【図１】本発明に係るエレベーターのトランク扉構造の一実施形態を示す要部斜視図である。
【図２】トランク付きエレベーターの概略構造図である。
【図３】トランクの詳細を示す斜視図である。
【符号の説明】
【００２２】
１  乗かご
２  出入口
３  トランク
４  床面
５  トランク床
６  トランク側板
７  トランク天井
8ａ、８ｂ  トランク扉
１０ａ、１１ａ  第１のブラケット
１０ｂ、１１ｂ  第２のブラケット
１０ｃ、１１ｃ  第１の穴
１０ｄ、１１ｄ  第２の穴
１０ｅ、１１ｅ  ボルト
１０ｅ１、１１ｅ１  ねじ部
１０ｅ２、１１ｅ２  ピン部
１０ｆ、１１ｆ  ナット
１０ｇ、１１ｇ  高さ調節用ナット
１２  切欠き部
【図１】
2008133127.tif 000003
【図２】
2008133127.tif 000004
【図３】
2008133127.tif 000005